(57)【要約】【課題】ブラシが植毛されているヘッド部（ブラシ部）から高圧エアー及び薬液を噴射可能とし、歯周ポケット内に薬液を噴入する前に、高圧エアーにて歯周ポケットを広げて歯周ポケット内に薬液を入れやすくする。【解決手段】通孔を有する歯ブラシ１０と、薬液タンク４１、高圧エアータンク４２等を有する歯ブラシ装置本体部４０と、前記薬液タンク４１内の薬液と高圧エアータンク４２内の高圧エアーを前記歯ブラシ１０に送給する送給ホース５０から成り、前記薬液と高圧エアーを前記歯ブラシ１０のブラシ部１２より噴射する。歯ブラシ１０は、通孔１５を有する握持部と、該握持部の先端部に着脱自在にかつ該握持部に対して略直角の軸心を中心に回動自在に取り付けられ、前記握持部の通孔に連通する通孔を有するブラシ部１２とから成り、該通路１７，１８を通して送られてくる高圧エアー及び薬液をブラシ部１２より噴射する。【選択図】図１
2005185436.tif 000002
【特許請求の範囲】
【請求項１】
通孔を有する歯ブラシと、コンプレッサー及び薬液タンクを具備した歯ブラシ装置本体と、前記コンプレッサーで発生された高圧エアー及び前記薬液タンク内の薬液を前記歯ブラシに送給する高圧エアー及び薬液送給ホースとから成り、前記高圧エアー及び薬液を前記高圧エアー及び薬液送給ホースを通して前記歯ブラシに送給して該歯ブラシのブラシ部より噴射するようにした高圧エアー及び薬液噴射機能付き歯ブラシ装置であって、前記歯ブラシは、前記通孔を有する握持部と、該握持部の先端部に着脱自在にかつ該握持部に対して略直角の軸心を中心に回動自在に取り付けられかつ前記握持部の通孔に連通する通孔を有するブラシ部とから成り、該通孔を通して前記ブラシ部より前記高圧エアー及び／又は薬液を噴射するようにしたことを特徴とする高圧エアー及び薬液噴射機能付き歯ブラシ装置。
【請求項２】
前記ブラシは歯牙の上面（咬合面）に対向する上板と、該上板と一体の前板及び後板とを有し、該上板と前後板の内側にブラシが植毛されており、前記前後板に前記高圧エアー及び薬液を噴射するための噴射口が設けられていることを特徴とする請求項１に記載の高圧エアー及び薬液噴射機能付き歯ブラシ装置。
【請求項３】
前記噴射口は、前記高圧エアー及び薬液が前記ブラシ部の回動軸心に対して略４５°の角度で噴射されるように開口されていることを特徴とする請求項１又は２に記載の高圧エアー及び薬液噴射機能付き歯ブラシ装置。
【発明の詳細な説明】
【技術分野】
【０００１】
本発明は、ブラシが植毛されているブラシ部（ヘッド部）から高圧エアー及び薬液を噴射可能とした高圧エアー及び薬液噴射機能付き歯ブラシ装置、より詳細には、歯周病予防のために、歯ブラシによる歯牙清掃の前後や歯牙清掃中に、該歯ブラシより薬液を歯周ポケット内に噴射するようにするとともに、薬液を噴射する前に、高圧のエアーを噴射して歯周ポケットを広げ、薬液が歯周ポケット内に入りやすくした高圧エアー及び薬液噴射機能付き歯ブラシ装置に関する。
【背景技術】
【０００２】
図２は、本出願人が先に提案した歯ブラシを分解して示す斜視図で、図中、１０は歯ブラシ、１１は握持部（柄部）、１２はブラシ部（ヘッド部）で、該握持部１１とヘッド部１２は着脱可能であり、かつ、ヘッド部１２は握持部１１に対し回動可能となっている。具体的には、握持部（柄部）１１はその先端部１１ａにおいて略直角に曲げられ、この直角に曲げられた部分１１ａの軸方向にヘッド部１２を取り付けるための連結穴１１ｂが設けられており、この連結穴１１ｂに、ヘッド部１２に設けられた連結軸１２ａが着脱自在に挿入され、Ｏリング１３によって脱落しないように装着され、これによって、ヘッド部１２は握持部１１に対して着脱自在にかつ回動可能に取り付けられる。
【０００３】
ヘッド部１２は、歯牙２０の上に配置される上板１２1と、該上板１２1の前後において、歯牙２０を挟むように配置された前板１２2（頬側）、後板１２3（舌側）とから成り、これら上板１２1及び前後板１２2、１２3の内側には、それぞれブラシ１４1、１４2、１４3が植毛されており、これらブラシ１４1、１４2、１４3がそれぞれ歯牙２０の上面、前面（頬側）、及び、後面（舌側）に接触して、歯牙２０の表面を清掃する。ヘッド部１２は、上板１２1及び前後板１２2、１２3により、略コの字状に形成され、下部及び両側部が開口しており、従って、上板１２1及び前後板１２2、１２3によって、歯牙２０を上方及び前後の３方から覆いながら、歯列に沿って移動することが可能であり、歯列に沿って移動する時に、ヘッド部１２が歯ブラシの移動に従って回動するので、歯列全体について、握持部１１を持ち替えることなく清掃することができる。
【０００４】
図３は、図２に示した歯ブラシの要部断面図で、図中、１５は握持部（柄部）１１に設けられた通孔、１６はヘッド部１２の連結軸１２ａ及び上板１２1、前後板１２2、１２3等に設けられた通孔で、これら通孔１５、１６を通して洗浄水や薬液を供給しながら歯牙の清掃をすることができ、より効果的に歯牙の清掃を行うことができるようになっている。
【０００５】
図４は、図２，図３に示した歯ブラシの使用状態の一例を示す図で、図中、３０は洗浄水（又は薬液）ボトル３１及び該洗浄水（又は薬液）ボトル３１内の洗浄液又は薬液を送出するためのポンプ又はコンプレッサ等を有する装置本体で、該装置本体３０から送出された洗浄水又は薬液は給水（又は給液）ホース３２を通して、図２，図３に示した歯ブラシ１０に送給され、前述の通孔１５、１６を通して、ヘッド部１２より放出される。
【発明の開示】
【発明が解決しようとする課題】
【０００６】
本発明は、上述のごとき、本出願人が先に提案した歯ブラシ装置を更に改良して、歯ブラシで清掃する前後や清掃中に歯周ポケットに薬液を噴射するようにするとともに、薬液を噴射する直前に高圧エアーを噴射して歯周ポケットを広げ、歯周ポケット内に薬液を入れやすくすることを目的としてなされたものである。
【課題を解決するための手段】
【０００７】
請求項１の発明は、通孔を有する歯ブラシと、コンプレッサー及び薬液タンクを具備した歯ブラシ装置本体と、前記コンプレッサーで発生された高圧エアー及び前記薬液タンク内の薬液を前記歯ブラシに送給する高圧エアー及び薬液送給ホースとから成り、前記コンプレッサーで発生された高圧エアー及び薬液を前記高圧エアー及び薬液送給ホースを通して前記歯ブラシに送給して該歯ブラシのブラシ部より噴射するようにした高圧エアー及び薬液噴射機能付き歯ブラシ装置であって、前記歯ブラシは、前記通孔を有する握持部と、該握持部の先端部に着脱自在にかつ該握持部に対して略直角の軸心を中心に回動自在に取り付けられかつ前記握持部の通孔に連通する通孔を有するブラシ部とから成り、該通孔を通して前記ブラシ部より前記高圧エアー及び／又は薬液を噴射するようにしたことを特徴としたものである。
【０００８】
請求項２の発明は、請求項１の発明において、前記ブラシは歯牙の上面（咬合面）に対向する上板と、該上板と一体の前板（頬側）及び後板（舌側）とを有し、該上板と前後板の内側（歯牙に対向する側）にブラシが植毛されており、前記前後板に前記高圧エアー及び薬液を噴射するための噴射口が設けられていることを特徴としたものである。
【０００９】
請求項３の発明は、請求項１又は２の発明において、前記噴射口は、前記高圧エアー及び薬液が前記ブラシ部の回動軸心に対して略４５°の角度で噴射されるように開口されていることを特徴としたものである。
【発明の効果】
【００１０】
ブラシを有するヘッド部を握持部（柄部）に対して回動可能にし、該ヘッド部を歯列の上面に沿って移動可能としたので、歯列に沿って歯牙を清掃する場合等において、歯牙の上面、前面（頬側）、及び、後面（舌側）を同時に、かつ、歯ブラシを持ち替える必要なく歯列に沿って歯列全体を清掃することができる。更には、歯ブラシで清掃する前後や清掃中に薬液を噴射して歯周病を予防する場合に、薬液を噴射する前に高圧エアーを噴射して歯周ポケットを広げるようにしたので、歯周ポケット内に薬液を効果的に入れることができる。
【発明を実施するための最良の形態】
【００１１】
図１は、本発明による歯ブラシの一例を説明するための全体構成図で、本質的には、図２及び図３に示した歯ブラシと同じで、通孔１５に高圧エアーを供給するエアー通路１７及び薬液を供給する薬液通路１８がそれぞれ逆止弁１７ａ，１８ａを介して連結されている点で相違している。なお、図１において、図を簡明にするために参照番号が省略されている部分があるが、それらの部分については図２及び図３を参照されたい。
【００１２】
図１において、１０は歯ブラシ、１１は該歯ブラシ１０の握持部（柄部）、１２はヘッド部（植毛部）で、図２及び図３を参照して説明したように、握持部１１とヘッド部１２は着脱可能であり、かつ、ヘッド部１２は握持部１１に対し回動可能となっている。具体的には、握持部（柄部）１１は、図２及び図３に示したように、その先端部１１ａにおいて略直角に曲げられ、この直角に曲げられた部分１１ａの軸方向にヘッド部１２を取り付けるための連結穴１１ｂが設けられており、この連結穴１１ｂに、ヘッド部１２に設けられた連結軸１２ａが着脱自在に挿入され、Ｏリング１３によって脱落しないように装着され、これによって、ヘッド部１２は握持部１１に対して着脱自在にかつ回動可能に取り付けられる。
【００１３】
ヘッド部１２は、歯牙２０の上に配置される上板１２1と、該上板１２1の前後において、歯牙２０を挟むように配置された前板１２2（頬側）、後板１２3（舌側）とから成り、これら上板１２1及び前後板１２2、１２3の内側には、それぞれブラシ１４1、１４2、１４3が植毛されており、これらブラシ１４1、１４2、１４3がそれぞれ歯牙２０の上面、前面（頬側）、及び、後面（舌側）に接触して、歯牙２０の表面を清掃する。ヘッド部１２は、上板１２1及び前後板１２2、１２3により、略コの字状に形成され、下部及び両側部が開口しており、従って、上板１２1及び前後板１２2、１２3によって、歯牙２０を上方及び前後の３方から覆いながら、歯列に沿って移動することが可能であり、歯列に沿って移動する時に、ヘッド部１２が歯ブラシの移動に従って回動するので、歯列全体について、握持部１１を持ち替えることなく清掃することができる。
【００１４】
１５は握持部（柄部）１１に設けられた通孔、１６はヘッド部１２の連結軸１２ａ及び上板１２1、前後板１２2、１２3等に設けられた通孔で、本発明においては、これら通孔１５，１６を通して高圧エアー及び薬液を噴射することができるようになっている。１７は通路１５に高圧エアーを供給する高圧エアー通路、１８は通路１５に薬液を供給するための薬液通路で、自動又は手動で、高圧エアーを供給した後に薬液を、或いは、薬液を噴射する前に高圧エアーを噴射するようになっている。
【００１５】
４０は前記高圧エアー及び薬液を前記歯ブラシ１０に供給するための歯ブラシ装置本体部で、該歯ブラシ装置本体部４０内には、薬液タンク４１、エアータンク４２、コンプレッサー４３、電磁弁４４，４５、マイコン制御基板４６等が設けられており、コンプレッサー４３によって薬液タンク４１及びエアータンク４２内が高圧にされ、電磁弁４４，４５の開放によって、薬液及び／又は高圧エアーが薬液及び高圧エアー供給ホース５０を通して歯ブラシ１０に供給される。なお、歯ブラシ１０の握持部１１には、高圧エアー及び薬液の供給、停止を制御するための操作スイッチが設けられており、この操作スイッチによって、電磁弁４４，４５が開閉され、薬液及び高圧エアーの供給及び停止が制御される。
【００１６】
なお、図１において、薬液及び高圧エアー供給ホース５０内に２本にチューブを有し、これら２本のチューブを別々に通して送給されてくる薬液及び高圧エアーをそれぞれの逆止弁１７ａ，１８ａを介して通孔１５に供給するようにしているが、これら逆止弁１７ａ，１８ａを歯ブラシ装置本体部４０内に設け、薬液及び高圧エアー供給ホース内のチューブを１本にし、歯ブラシ１０の握持部（柄部）１１の構造を、図２及び図３に示した構造と同じにするようにしてもよい。
【図面の簡単な説明】
【００１７】
【図１】本発明による薬液及び高圧エアー噴射機能付き歯ブラシ装置の一例を説明するための全体構成図である。
【図２】本出願人が先に提案した歯ブラシを握持部とブラシ部に分解して示す斜視図である。
【図３】図２に示した歯ブラシの要部断面図である。
【図４】図２，図３に示した歯ブラシの使用状態の一例を示す図である。
【符号の説明】
【００１８】
１０…歯ブラシ、１１…握持部（柄部）、１１ａ…先端部、１１ｂ…連結穴、１２…ヘッド部、１２1…上板、１２2…前板、１２3…後板、１２ａ…連結軸、１３…Ｏリング、１４1，１４2，１４3…ブラシ、１５，１６…通孔、１７…高圧エアー供給通路、１７ａ，１８ａ…逆止弁、１８…薬液供給通路、２０…歯牙（歯列）、３０…装置本体、３１…洗浄水ボトル、３２…洗浄水供給ホース、４０…歯ブラシ装置本体部、４１…薬液タンク、４２…高圧エアータンク、４３…コンプレッサー、４４，４５…電磁弁、４６…マイコン制御基板、５０…薬液及び高圧エアー送給ホース。
【図１】
2005185436.tif 000003
【図２】
2005185436.tif 000004
【図３】
2005185436.tif 000005
【図４】
2005185436.tif 000006